(57)【要約】【課題】  複数ページの印刷結果を確認する際に、スキャナで読み取った各ページの印刷結果画像を縮小処理して、サムネイルを作成し、プリントジョブ印刷結果一覧として、前記サムネイル群を出力することにより、一瞥して印刷不良を発見することが可能な方法を提供する。【解決手段】  印刷結果を読み取る印刷結果読み取り手段と、プリントジョブ単位で出力した印刷ページ数を数える出力ページ数計測手段とサムネイルを作る縮小処理手段とを備える。【選択図】  図２
2006168157.tif 000002
【特許請求の範囲】
【請求項１】
印刷結果をスキャナで読み取る印刷結果読み取り機能と、出力した印刷ページ数を数える機能とを有し、各ページの印刷結果をスキャナで読み取っていき、２ページ以上が印刷されて終了した場合にのみ、前記読み取った印刷結果画像を縮小処理して、サムネイルを作成し、前記サムネイルを並べてプリントジョブ印刷結果一覧として印刷出力することを特徴とする画像出力装置。
【請求項２】
プリントジョブ印刷終了後に、前記スキャナで読み取った印刷結果を、前記プリントジョブ印刷結果一覧として出力するのは、印刷ページ数が、使用者が設定することが可能な印刷結果一覧出力最低ページ数以上の場合にのみに限ることを特徴とする請求項１に記載の画像出力装置。
【請求項３】
前記プリントジョブ印刷結果一覧を印刷しようとする場合において、前記読み取った印刷結果のページ数によってサムネイル縮小処理の縮小率を変えることによって、印刷結果一覧の出力枚数を少なくすることを特徴とする請求項１または２に記載の画像出力装置。
【請求項４】
前記プリントジョブ印刷結果一覧を印刷しようとする場合において、両面印刷時の表と裏の組み合わせが分かるようにサムネイル配置を行うことを特徴とする請求項１乃至３のいずれかに記載の画像出力装置。
【発明の詳細な説明】
【技術分野】
【０００１】
本発明は、複数ページの印刷結果の中から印刷不良ページを簡便に見つけ出すための印刷出力を持つ画像出力装置に関するものである。
【背景技術】
【０００２】
画像出力装置において、複数ページの印刷結果を確認するには、印刷結果を１ページずつ見ていくか、スキャナで読み取った印刷結果画像を一ページずつ見ていくしかなく、印刷ページ数が多い場合、白紙や重送など明らかな印刷不良があるかどうかを確認するのにも、一ページずつめくりながらの確認や、一ページずつ印刷結果画像を表示させての確認が必要なため、手間が掛かっていた（例えば、特許文献１参照）。
【特許文献１】特開平１０−２８３１３２号公報
【発明の開示】
【発明が解決しようとする課題】
【０００３】
本発明は上述の問題点を解決するためのものであり、複数ページの印刷結果を確認する際に、スキャナで読み取った各ページの印刷結果画像を縮小処理して、サムネイルを作成し、プリントジョブ印刷結果一覧として、前記サムネイル群を出力することにより、一瞥して印刷不良を発見することが可能な方法を提供することを目的とする。
【０００４】
本出願に係る第１の発明の目的は、プリントジョブが複数ページから成っている場合に、各ページの印刷結果をスキャナで読み取っていき、２ページ以上が印刷されて終了した場合にのみ、前記読み取った印刷結果画像を縮小処理して、サムネイルを作成し、前記サムネイルを並べてプリントジョブ印刷結果一覧として印刷出力することにより、使用者が明らかな印刷不良を短時間で発見することを容易にすることである。
【０００５】
本出願に係る第２の発明の目的は、使用者が必要と考える印刷ページ数を超えた場合にのみ、印刷結果一覧を出力するようにすることにより、無駄な印刷結果一覧を省きながら、使用者が明らかな印刷不良を短時間で発見することを容易にすることである。
【０００６】
本出願に係る第３の発明の目的は、印刷ページ数に応じて、サムネイルを作成する縮小率を変化させることにより、印刷結果一覧出力に使用する用紙を節約しながら、使用者が明らかな印刷不良を短時間で発見することを容易にすることである。
【０００７】
本出願に係る第４の発明の目的は、両面印刷時の印刷結果として、表と裏を判別できるように配置することにより、使用者の意図どおりの両面印刷になっていない印刷不良の発見を容易にすることである。
【課題を解決するための手段】
【０００８】
本発明は、印刷結果をスキャナで読み取る印刷結果読み取り機能と、出力した印刷ページ数を数える機能とを有し、各ページの印刷結果をスキャナで読み取っていき、２ページ以上が印刷されて終了した場合にのみ、前記読み取った印刷結果画像を縮小処理して、サムネイルを作成し、前記サムネイルを並べてプリントジョブ印刷結果一覧として印刷出力することを特徴とする。
【発明の効果】
【０００９】
本発明によると、プリントジョブが複数ページから成っている場合に、各ページの印刷結果をスキャナで読み取っていき、２ページ以上が印刷されて終了した場合にのみ、前記読み取った印刷結果画像を縮小処理して、サムネイルを作成し、前記サムネイルを並べてプリントジョブ印刷結果一覧として印刷出力することにより、使用者が明らかな印刷不良を短時間で容易に発見できるという効果がある。
【発明を実施するための最良の形態】
【００１０】
本発明の実施例を図面を参照して説明する。
【００１１】
［構成］
図１は本発明に係る画像出力装置１００の概略内部構成を示す図である。画像出力装置１００は内部バス１１５により相互接続されるＣＰＵ１１１、ＲＯＭ１１２、ＦｌａｓｈＲＯＭ１１３、ＲＡＭ１１４、ホストインターフェース１１６、プリンタインターフェース１１７、およびインクジェットプリンタなどのプリンタエンジン１２０を備えている。
【００１２】
ホストコンピュータ１４０は、ネットワーク１３０を通して、画像出力装置１００にプリントジョブを転送する。プリンタコントローラ１１０は、ホストインターフェース１１６を介してプリントジョブを受信して、ＲＡＭ１１４に記憶する。そこから、プリンタインターフェース１１７を介して、プリンタエンジン１２０に転送して印刷を行う。そのとき、プリントジョブ印刷開始時にプリントジョブの印刷ページ数が単数か複数かを判断し、複数枚のプリントジョブのときには、印刷結果を読み取ってプリンタコントローラ１１０に送り返すようにプリンタエンジン１２０に指示する。指示されたプリンタエンジン１２０は、各ページを印刷するたびに、印刷結果読み取りスキャナ１２１で、印刷結果を読み取り、プリンタインターフェース１１７を介して印刷結果画像をプリンタコントローラ１１０に送り返す。プリンタコントローラ１１０は、プリンタエンジンより送られてきた印刷結果画像を縮小処理してサムネイルを作り、ページ属性情報とともにＲＡＭ１１４に記憶していく。プリントジョブ印刷が正常終了する、あるいは、異常終了して、終了までに出力された印刷が複数枚であった場合には、プリンタコントローラ１１０は、ＲＡＭ１１４に記憶していたサムネイルを用いて、印刷結果一覧のプリントジョブを作成し、プリンタエンジン１２０に送信して印刷し、印刷結果一覧として出力する。
【００１３】
［プリントジョブ処理手順］
図２は本発明に係る画像出力装置において、印刷結果一覧を作成して出力する一連の処理を示すフローチャートであり、Ｓ２０１〜Ｓ２１２は各ステップを示す。ジョブの印刷ページ数をＪ、使用者が設定する印刷結果一覧出力最低ページ数をＪｍｉｎとし、実際に印刷した枚数をＰ、印刷結果一覧１ページ内に印刷するサムネイルの数をＴ、印刷結果一覧が複数ページできる場合に、１ページ内に印刷するサムネイルの数の下限をＴｍｉｎとする。
【００１４】
ステップＳ２０１では、送られてきたプリントジョブの印刷ページ数Ｊと、使用者が設定する印刷結果一覧出力最低ページ数Ｊｍｉｎを比較し、プリントジョブの印刷ページ数Ｊが大きい場合には、ステップＳ２０２に進み、そうでない場合には、終了する。
【００１５】
ステップＳ２０２では、印刷ページ数を０に初期化する。
【００１６】
ステップＳ２０３では、プリンタエンジン１２０から印刷結果画像を受信する。
ステップＳ２０４では、ステップＳ２０３で受信した印刷結果画像から縮小処理を行い、サムネイルを作成して、ＲＡＭ１１４に記憶しておく。
【００１７】
ステップＳ２０５では、印刷ページ数を１増やす。
【００１８】
ステップＳ２０６では、プリントジョブの印刷が終了したかどうかを判定し、終了していれば、ステップＳ２０７に進む。そうでない場合には、ステップＳ２０３に進む。
【００１９】
ステップＳ２０７では、印刷ページ数Ｐと、印刷結果一覧の１ページ内に印刷するサムネイルの数Ｔとを比較し、印刷ページ数Ｐが大きい場合には、印刷結果一覧は複数ページとなり、ステップＳ２０８に進む。そうでない場合には、ステップＳ２１２に進む。
【００２０】
ステップＳ２０８では、印刷結果一覧の最終ページに印刷するサムネイル数ＴＬを以下の式で求め、ＴＬと１ページ内に印刷するサムネイルの数の下限Ｔｍｉｎとを比較し、ＴＬの方が小さい場合には、ステップＳ２０９に進み、そうでない場合には、ステップＳ２１０に進む。
【００２１】
ＴＬ＝Ｐ ｍｏｄ Ｔ
ステップＳ２０９では、印刷結果一覧の１ページ内に印刷するサムネイルの数Ｔを増加させて、ステップＳ２０７に進む。
【００２２】
ステップＳ２１０では、Ｔが初期値から変更されたかどうかを判定し、変更されている場合には、ステップＳ２１１に進み、そうでない場合には、ステップＳ２１２に進む。
【００２３】
ステップＳ２１１では、変更されたＴに基づいて、サムネイルを再作成し、ＲＡＭ１１４に記憶させる。
【００２４】
ステップＳ２１２では、ＲＡＭ１１４に記憶してあるサムネイルを使用して、印刷結果一覧を出力して、終了する。
【００２５】
［内部構造概略］
図３は本発明に係る画像出力装置においての内部構造概略を示したものである。画像出力装置３０１においては、カセット３０２から給紙ローラー３０３を用いて印刷用紙３０６を搬送し、搬送ローラー３０７で印刷用紙を送りながら、インクヘッド３０４で通常のプリントジョブの印刷を行う。その際、同時に、スキャナ３０５によって、印刷結果を読み取る。印刷後、印刷用紙３０６を排紙トレイ３０８に排出する。
【００２６】
［印刷結果一覧例］
図４は本発明に係る画像出力装置によって出力する印刷結果画像一覧例を示したものである。通常の印刷結果画像一覧４０１は、左から右に５ページのサムネイルを並べ、その後一段下に下がって、再び５ページのサムネイルを印刷する。両面の印刷結果画像一覧４０２は、両面の表と裏の関係を使用者に明確に分かるようにサムネイルを上下に並べる。
【００２７】
以上説明したように、本出願に係る第１の発明によれば、プリントジョブが複数ページから成っている場合に、各ページの印刷結果をスキャナで読み取っていき、２ページ以上が印刷されて終了した場合にのみ、前記読み取った印刷結果画像を縮小処理して、サムネイルを作成し、前記サムネイルを並べてプリントジョブ印刷結果一覧として印刷出力することにより、使用者が明らかな印刷不良を短時間で容易に発見できるという効果がある。
【００２８】
また、本出願に係る第２の発明によれば、使用者が設定可能な印刷結果一覧出力最低ページ数設定手段と、前記印刷結果一覧出力最低ページ数と実際の印刷ページ数とを比較する比較手段とを持つことにより、使用者が印刷結果一覧の出力を望むページ数を超えた場合にのみ、印刷結果一覧出力を印刷することにより、無駄な印刷結果一覧を省くことができるという効果がある。
【００２９】
また、本出願に係る第３の発明によれば、前記読み取った印刷結果のページ数によってサムネイル縮小処理の縮小率を変えることが可能な縮小手段を持つことにより、印刷結果一覧枚数を少なくすることが可能となり、一覧性を適応的に高めることができるという効果がある。
【００３０】
また、本出願に係る第４の発明によれば、両面印刷時の表と裏の組み合わせが分かるようにサムネイル配置を行うことが可能なサムネイル配置手段を持つことにより、両面印刷時のサムネイル配置が表と裏の対応関係を使用者が容易に確認できるという効果がある。
【図面の簡単な説明】
【００３１】
【図１】本発明の実施形態に係る画像出力装置と、ホストコンピュータの概略構成を示すブロック図である。
【図２】本発明の実施形態に係る画像出力装置の印刷結果一覧を作成する処理の流れを示すフローチャートである。
【図３】本発明の実施形態に係る画像出力装置の内部構成を示す概略図である。
【図４】本発明の実施形態に係る印刷結果一覧のサムネイル配置を示す図である。
【符号の説明】
【００３２】
１０１、３０１  画像出力装置
１１１  ＣＰＵ
１１２  ＲＯＭ
１１３  ＦｌａｓｈＲＯＭ
１１４  ＲＡＭ
１１５  内部バス
１１６  ホストインターフェース
１１７  プリンタインターフェース
１２０プリンタエンジン
１２１  印刷結果読み取りスキャナ
１３０  ネットワーク
１４０  ホストコンピュータ
３０１  カセット
３０２  給紙ローラー
３０３  インクヘッド
３０４  スキャナ
３０５  印刷用紙
３０６  搬送ローラー
３０７  排紙トレイ
【図１】
2006168157.tif 000003
【図２】
2006168157.tif 000004
【図３】
2006168157.tif 000005
【図４】
2006168157.tif 000006